(57)【特許請求の範囲】
【請求項１】
デュアルスキャン用走査開始信号毎に上画面側データと下画面側データとを交互に選択し出力するデータ切り換え手段、上記デュアルスキャン用走査開始信号を１／２に分周しシングルスキヤン用走査開始信号に変換する走査開始信号分周手段、およびサイマルスキャン時の余分な走査クロックを削除する走査クロック削除手段、該走査クロック削除手段の作動時に画面表示をＯＦＦさせる画面表示ＯＦＦ信号発生手段とを設け、デュアルスキャン用の駆動信号を受けてシングルスキヤンタイプの液晶表示装置を駆動せしめることを特徴とする液晶表示装置の駆動方法。
【発明の詳細な説明】
【０００１】
【発明の属する技術分野】
本発明は液晶表示装置の駆動方法に関するものである。
【０００２】
【従来の技術】
従来の駆動方法にはシングルスキャンとデュアルスキャンという２つの走査方法があり、シングルスキャンは表示画面を上から順番に走査する方法であり、デュアルスキャンは表示画面を上下の２分割し、２画面を同時に走査する方法である。これらの駆動方法を図３〜図６により説明する。
【０００３】
シングルスキャンを図３と図４により述べる。図３は液晶表示装置Ａに対するシングルスキヤンのブロック図、図４はタイミング図である。
２１は表示パネル、２２は表示パネル２１の縦（列）方向の電圧を制御する信号側ドライバ、２３は表示パネル２１の横（行）方向の電圧を制御する走査側ドライバである。
【０００４】
そして、シングルスキャン用走査クロックであるＳＬＰ７によって走査電極を上から順次１本ずつ走査する。一方、シングルスキャン用データであるＳＤＡＴＡ１２は信号側ドライバ２２に取り込まれているが、その際、シングルスキャン用クロックパルスであるＳＣＰ８によってＳＤＡＴＡ１２を表示パネル２１に出力する。このような方法でもってすべての走査電極を走査し、これによって１画面を表示している。
【０００５】
たとえば、表示パネル２１での表示画面の解像度が６００×４８０である場合には、ＳＬＰ７は１ライン目から４８０ライン目まで走査して１画面を表示する。４８０ライン目を走査した後、最初の１ライン目に戻るタイミングをシングルスキャン用走査開始信号であるＳＦＲＭ６でおこなっている。その際、画面を表示するのに必要なＳＬＰ数は４８０であるが、ＣＲＴと同時に液晶表示装置を表示するサイマルスキャンの場合には４８０以上のＳＬＰが出力される。図４に示すサイマルスキャンのタイミングによれば、ＳＬＰ数が２発余分に出力されている。
【０００６】
つぎにデュアルスキャンを図５と図６により説明する。
図５は液晶表示装置Ｂのブロック図、図６はタイミング図であって、表示パネル２４の表示画面は上下二つに分けられ、それぞれの表示画面２４ａ、２４ｂは別々のドライバによって駆動電圧が制御されている。
【０００７】
デュアルスキャン用走査クロックであるＤＬＰ２は上画面用走査側ドライバ２３ａと下画面用走査側ドライバ２３ｂに入力され、各表示画面２４ａ、２４ｂのそれぞれの走査電極を同時に１本ずつ走査する。たとえば、１ライン目と２４１ライン目、２ライン目と２４２ライン目は同時に走査される。このように同時走査するには、デュアルスキャン用クロックパルスであるＤＣＰ３によってＵＤ４（上画面側データ）は上画面用信号側ドライバ２２ａに、ＬＤ５（下画面側データ）は下画面用信号側ドライバ２２ｂに取り込まれ、さらにＤＬＰ２のタイミングでもって表示パネル２４へ出力される。
【０００８】
したがって、１画面を表示するのに必要なＤＬＰ数は２４０発であり、２４０ライン目と４８０ライン目を同時走査した後、１ライン目、２４１ライン目に戻るタイミングをデュアルスキャン用走査開始信号であるＤＦＲＭ１によりとっている。すなわち、同じ解像度であれば、１画面を表示するのに必要なＤＬＰ数はＳＬＰ数の半分であり、クロック周波数が同じであれば、ＤＦＲＭ周期もＳＦＲＭ周期の半分となる。図６は各信号のサイマルスキャン時のタイミング例であり、ＤＬＰ数が２発余分に出力されている。
【０００９】
【発明が解決しようとする課題】
以上のとおり、デュアルスキャンタイプの液晶表示装置によれば、シングルスキャンタイプの液晶表示装置と比べ走査速度が２倍にまで上がり、優れた画質が得られるが、その反面、表示画面２４ａには上画面用走査側ドライバ２３ａと上画面用信号側ドライバ２２ａとを、他方の表示画面２４ｂには下画面用走査側ドライバ２３ｂと下画面用信号側ドライバ２２ｂとを設ける必要があり、このように余分に信号電極駆動回路を設けることで、生産コストが高くなっていた。
【００１０】
一方、シングルスキャンタイプの液晶表示装置においては、さまざまな技術改良によって画質が改善され、デュアルスキャンタイプの液晶表示装置に比して大差ない水準にまで向上している。そこで、上記のような生産コストの上昇に鑑み、コスト削減のためにデュアルスキャンタイプのものをシングルスキャンタイプに交換できることが望まれる。
【００１１】
しかしながら、市場の主流はデュアルスキャンであり、インターフェイスもデュアルスキャン用のものが大半を占めているので、インターフェイスごとシングルスキャンタイプに交換するのが難しかった。
【００１２】
したがって本発明の目的はインターフェイスを交換することもなく、デュアルスキャンタイプの液晶表示装置にて使用される駆動信号を受けてシングルスキャンタイプの液晶表示装置を駆動させ、これによって信号電極駆動回路数の増大させず、その結果、生産コストを下げることにある。
【００１３】
【課題を解決するための手段】
本発明の液晶表示装置の駆動方法は、デュアルスキャン用走査開始信号毎に上画面側データと下画面側データとを交互に選択し出力するデータ切り換え手段、上記デュアルスキャン用走査開始信号を１／２に分周しシングルスキヤン用走査開始信号に変換する走査開始信号分周手段、およびサイマルスキャン時の余分な走査クロックを削除する走査クロック削除手段、該走査クロック削除手段の作動時に画面表示をＯＦＦさせる画面表示ＯＦＦ信号発生手段とを設け、デュアルスキャン用の駆動信号を受けてシングルスキヤンタイプの液晶表示装置を駆動せしめることを特徴とする。
【００１４】
【発明の実施の形態】
以下、本発明の液晶表示装置の駆動方法を図１と図２により説明する。
図１は液晶表示装置Ｃのブロック図、図２はサイマルスキャン時の駆動信号のタイミング図である。なお、前記液晶表示装置Ａおよび液晶表示装置Ｂと同一箇所には同一符号を付す。
【００１５】
液晶表示装置Ｃはシングルスキャン用液晶表示装置２５と、デュアルスキャンタイプ用の駆動信号をシングルスキャン信号に変換する信号変換手段１００とからなり、シングルスキャン用液晶表示装置２５は前記液晶表示装置Ａにて使用された表示パネル２１に対し、同様に縦（列）方向の電圧を制御する信号側ドライバ２２、表示パネル２１の横（行）方向の電圧を制御する走査側ドライバ２３とを配設したものである。
【００１６】
信号変換手段１００において、１０１はデュアルスキャン用走査開始信号が一つ毎にＵＤ４（上画面側データ）と下画面側のデータ５とを交互に選択し、出力するデータ切り換え手段、１０３は一つのデュアルスキャン用走査開始信号を１／２に分周しシングルスキャン用走査開始信号６に変換する走査開始信号分周手段、１０２はサイマルスキャン時の余分な走査クロックを削除する走査クロック削除手段、１０４はこの削除中画面表示をＯＦＦさせる画面表示ＯＦＦ信号発生手段である。
【００１７】
上記構成の液晶表示装置Ｃはつぎのように駆動する。
まず、デュアルスキャン信号の走査開始信号であるＤＦＲＭｌと、デュアルスキャン用走査クロックであるＤＬＰ２は走査クロック削除手段１０２に入力される。走査クロック削除手段１０２では１ＤＦＲＭ期間のＤＬＰ数をカウントし、画面表示に必要なＤＬＰ数をカウントし終えると、データ切り換えクロックであるＤＳＣＬＫ９を出力する。その際、サイマルスキャンによって不必要なＤＬＰが存在する場合には、ＤＳＣＬＫ９とＤＦＲＭ１とで生成されたＬＰＭＳＫ１０（走査クロック削除信号）によって、不必要なＤＬＰは削除され、残りがシングルスキャン用の走査クロックであるＳＬＰ７として出力される。
【００１８】
以上を図２でもって詳細に説明する。まずＤＦＲＭｌの立ち上がりからＤＬＰ２のカウントが始まり、そして、１画面を表示するのに必要なＤＬＰ数をカウントし終えると最後のＤＬＰの立ち下がりによってＤＳＣＬＫ９が出力される。このＤＳＣＬＫ９によってＬＰＭＳＫ１０がＬＯＷレベル（以下、Ｌレベル）に引き下げられ、つぎのＤＦＲＭｌの立ち上がりでＨＩレベル（以下、Ｈレベル）に戻る。ＬＰＭＳＫ１０がＬレベルにある間にＤＬＰが存在すると、そのＤＬＰは削除される。図２において、一つ目のＤＦＲＭｌ周期ではＬＰＭＳＫ１０がＬレベルの間にＤＬＰが存在せず、すなわち余分なＤＬＰが存在しないためＤＬＰは削除されない。つぎのＤＦＲＭｌ周期ではＬＰＭＳＫ１０がＬレベルにある間２発のＤＬＰが発生する。この２発が余分なＤＬＰであり、ＳＬＰ７ではこの２発が削除されている。
【００１９】
また、このＬＰＭＳＫ１０とＤＬＰ２は画面表示ＯＦＦ信号発生手段１０４に入力され、ＳＤＩＳＰ１３（画面表示ＯＦＦ信号）を生成する。この信号によって余分なＤＬＰが出力されている間、画像の表示をＯＦＦし、パネルの実効電圧を調整する。
【００２０】
一方、ＤＦＲＭ１は走査開始信号分周手段１０３によって１／２に分周され、シングルスキャン用の走査開始信号ＳＦＲＭ６となる。
【００２１】
つぎに、データ切り換え手段１０１においてデータ切り換え信号ＤＳｌｌがＤＳＣＬＫ９によって生成される。ＤＳ１１はＤＳＣＬＫ９の立ち上がりによってＨレベルとＬレベルを交互に出力する。図２では初めにＨレベルであったＤＳ１１がＤＳＣＬＫ９の立ち上がりによってＬレベルになり、つぎのＤＳＣＬＫ９の立ち上がりによって再びＨレベルに戻っている。ＤＳ１１がＨレベルにある間ＵＤ４（上画面側データ）が選択、出力され、ＬレベルにあるときにはＬＤ５（下画面側データ）が選択、出力される。このようにシングルスキャン用のデータＳＤＡＴＡ１２は生成される。また、ＵＤ選択期間にＳＦＲＭが立ち上がるようにＤＳ１１とＳＦＲＭ６を同期させる。この作業をおこなうことによってＵＤ４とＬＤ５が上下逆に出力されないようにする。
【００２２】
なお、このように変換したもの以外の信号についてはデュアルスキャンのものをそのままシングルスキャンの信号として使用すればよい。
【００２３】
かくして本発明の駆動方法によれば、上記構成の信号変換手段１００をシングルスキャン用液晶表示装置２５に設けることで、デュアルスキャンタイプ用の駆動信号をシングルスキャン信号に変換することができた。
【００２４】
【発明の効果】
以上のとおり、本発明の液晶表示装置の駆動方法によれば、シングルスキヤンタイプの液晶表示装置に対し、デュアルスキャン用走査開始信号毎に上画面側データと下画面側データとを交互に選択し出力するデータ切り換え手段、デュアルスキャン用走査開始信号を１／２に分周しシングルスキヤン用走査開始信号に変換する走査開始信号分周手段、サイマルスキャン時の余分な走査クロックを削除する走査クロック削除手段、この削除中に画面表示をＯＦＦさせる画面表示ＯＦＦ信号発生手段とを設けたことで、インターフェイスを交換することもなく、デュアルスキャンタイプの液晶表示装置にて使用される駆動信号を受けてシングルスキャンタイプの液晶表示装置を駆動させることでき、これによって信号電極駆動回路をさらに増大させる必要もなく、その結果、低コストの液晶表示装置が提供できた。
【図面の簡単な説明】
【図１】本発明に係る液晶表示装置のブロック図である。
【図２】本発明の液晶表示装置の駆動方法におけるタイミング図である。
【図３】従来の駆動方法に係る液晶表示装置のブロック図である。
【図４】従来の液晶表示装置の駆動方法におけるタイミング図である。
【図５】従来の駆動方法に係る液晶表示装置のブロック図である。
【図６】従来の液晶表示装置の駆動方法におけるタイミング図である。
【図１】
0003618049.tif 000002
【図２】
0003618049.tif 000003
【図３】
0003618049.tif 000004
【図４】
0003618049.tif 000005
【図５】
0003618049.tif 000006
【図６】
0003618049.tif 000007